(57)【要約】      （修正有）【課題】現有技術の中の便ふた上げ機を更に一歩の改良を進め、利便性を向上した便ふた上げ機を提供する。【解決手段】底板１０を含み、前記底板の中には移動溝１１が設けられ、前記移動溝の右側には噛合溝２６が連通し設けられ、前記噛合溝の中のネジ山軸１４には噛合歯車２７が固定的に設けられ、前記底板の前端面には操作ブロックが固定的に設けられ、前記操作ブロックの中には駆動装置が設けられ、前記駆動装置と前記噛合歯車とが噛み合うことができるように連結される。本発明は構造が簡単で、下に押圧ブロックを押すことによってモーターが作動され、これにより便座クッションが上げられ、その後に押しロッドによって装置を復帰させ、便座クッションが自動的に平にし、操作の過程に、足で装置を操縦して作動させ、操作も便利である。【選択図】図１
2020175096.tif 000002
【特許請求の範囲】
【請求項１】
底板を含み、前記底板の下端面には便座の縁に貼り付けることができる貼り板が固定的に設けられ、前記底板の中には移動溝が設けられ、前記移動溝の中には移動ブロックがスライドできるように設けられ、前記移動ブロックの中には開け溝が設けられ、前記開け溝の中には連結ロッドが回転できるように設けられ、前記移動溝の上側と外部空間との間にはガイドスライド溝が連通し設けられ、前記底板の上端には回転溝が設けられ、前記回転溝の前後端壁の間には固定軸が固定的に設けられ、前記固定軸には回転板が回転できるように設けられ、前記回転板と前記回転溝との間には連結バネが固定的に連結され、前記回転板の上端面には便座クッションの下端面に貼り付けることができる貼りブロックが固定的に設けられ、前記回転板の中にはスライド溝が設けられ、前記スライド溝の中にはスライドブロックがスライドできるように設けられ、前記スライド溝と外部空間との間にはガイドレールが連通し設けられ、前記連結ロッドの上端が順番に前記ガイドスライド溝及び前記ガイドレールを貫通して前記スライドブロックと回転できるように連結され、前記移動溝の中には左端と前記移動溝の左端壁とが回転できるように連結されたネジ山軸が回転できるように設けられ、前記ネジ山軸と前記移動ブロックとがねじ山によって連結され、前記移動溝の右側には噛合溝が連通し設けられ、前記ネジ山軸の右端が前記噛合溝の中まで伸びており、かつ前記ネジ山軸の右端にはトーションバネが固定的に連結設置され、前記噛合溝の中の前記ネジ山軸には噛合歯車が固定的に設けられ、前記底板の前端面には操作ブロックが固定的に設けられ、前記操作ブロックの中には駆動装置が設けられ、前記駆動装置と前記噛合歯車とが噛み合いことができるように連結され、
前記噛合歯車が回転し前記移動ブロックを移動させ、前記連結ロッドによって前記回転板が便座クッションを駆動して上昇させることを特徴とするボタン式便ふた上げ機。
【請求項２】
前記駆動装置は前記噛合溝と連通する動力チャンバを含み、前記動力チャンバの中にはスライドブロックがスライドできるように設けられ、前記スライドブロックの中には旋転溝が設けられ、前記旋転溝と前記動力チャンバとの間には左右対称の抜き穴が連通し設けられ、前記動力チャンバの左端壁にはモーターが固定的に設けられ、前記モーターの右端には動力軸が動力が伝達できるように連結され、前記動力軸の右端が前記抜き穴を貫通して前記動力チャンバの右端壁と回転できるように連結され、前記旋転溝の中の前記動力軸には前記噛合歯車と噛み合うことができる回転歯車が固定的に設けられ、前記動力チャンバの前側には操作装置が設けられ、前記操作装置と前記スライドブロックとが固定的に連結され、
モーターが作動されて噛合歯車を回転連動させることを特徴とする請求項１に記載のボタン式便ふた上げ機。
【請求項３】
前記操作装置は前記動力チャンバと連通する押し出し溝を含み、前記押し出し溝の中には右端が前記スライドブロックと固定的に連結された押し出しロッドがスライドできるように設けられ、前記押し出しロッドの左端には回転ロッドが回転できるように設けられ、前記押し出し溝と外部空間との間には押圧溝が連通し連結設置され、前記押圧溝と前記押し出し溝との間には連通チャンバが連通し設けられ、前記押圧溝の中には押圧ロッドがスライドできるように設けられ、前記回転ロッドの前端が前記押圧ロッドとが回転できるように連結され、前記押圧ロッドの左端面には復帰部品が固定的に設けられ、前記押圧ロッドの右端にはロック溝が設けられ、前記押圧ロッドの前端が外部空間まで伸びており、かつ前記押圧ロッドの前端には押しブロックが固定的に設けられ、前記押圧溝の右側には押し溝がスライドロッド溝によって連通し設けられ、前記スライドロッド溝の中には左端が前記押圧ロッドと当接するスライドロッドがスライドできるように設けられ、前記スライドロッドの右端が前記押し溝の中まで伸びており、かつ前記スライドロッドの右端には押しロッドが固定的に設けられ、前記押しロッドと前記押し溝との間には押圧バネが固定的に設けられ、
後ろに前記押圧ロッドを押し、前記モーターが前記噛合歯車を回転連動させることができ、前記押しロッドを右に移動して前記押圧ロッド復帰させることを特徴とする請求項２に記載のボタン式便ふた上げ機。
【発明の詳細な説明】
【技術分野】
【０００１】
本発明は生活用品技術分野を取り上げて、具体的にはボタン式便ふた上げ機である。
【背景技術】
【０００２】
現在の便ふたは一般的に手動で作動され、手動では腰を屈めなければいけなく、また便ふたの衛生問題も心配され、直接操作に不便であり、また、極少数の床置式便ふた上げ機は、大きな空間を占め、操作も不便である。
従って、現有技術の中の便ふた上げ機を更に一歩の改良を進み、便ふた上げ機を使用する利便性を向上する。
【先行技術文献】
【特許文献】
【０００３】
【特許文献１】中国特許出願公開第１０３３００７８４号明細書
【発明の概要】
【発明が解決しようとする課題】
【０００４】
本発明の目的はボタン式便ふた上げ機を提供し、それは上記の現在の技術中の問題を解決できる。
【課題を解決するための手段】
【０００５】
本発明のボタン式便ふた上げ機は、底板を含み、前記底板の下端面には便座の縁に貼り付けることができる貼り板が固定的に設けられ、前記底板の中には移動溝が設けられ、前記移動溝の中には移動ブロックがスライドできるように設けられ、前記移動ブロックの中には開け溝が設けられ、前記開け溝の中には連結ロッドが回転できるように設けられ、前記移動溝の上側と外部空間との間にはガイドスライド溝が連通し設けられ、前記底板の上端には回転溝が設けられ、前記回転溝の前後端壁の間には固定軸が固定的に設けられ、前記固定軸には回転板が回転できるように設けられ、前記回転板と前記回転溝との間には連結バネが固定的に連結され、前記回転板の上端面には便座クッションの下端面に貼り付けることができる貼りブロックが固定的に設けられ、前記回転板の中にはスライド溝が設けられ、前記スライド溝の中にはスライドブロックがスライドできるように設けられ、前記スライド溝と外部空間との間にはガイドレールが連通し設けられ、前記連結ロッドの上端が順番に前記ガイドスライド溝及び前記ガイドレールを貫通して前記スライドブロックと回転できるように連結され、前記移動溝の中には左端と前記移動溝の左端壁とが回転できるように連結されたネジ山軸が回転できるように設けられ、前記ネジ山軸と前記移動ブロックとがねじ山によって連結され、前記移動溝の右側には噛合溝が連通し設けられ、前記ネジ山軸の右端が前記噛合溝の中まで伸びており、かつ前記ネジ山軸の右端にはトーションバネが固定的に連結設置され、前記噛合溝の中の前記ネジ山軸には噛合歯車が固定的に設けられ、前記底板の前端面には操作ブロックが固定的に設けられ、前記操作ブロックの中には駆動装置が設けられ、前記駆動装置と前記噛合歯車とが噛み合いことができるように連結され、
前記噛合歯車が回転し前記移動ブロックを移動させ、前記連結ロッドによって前記回転板が便座クッションを駆動して上昇させる。
【０００６】
更の技術プラン、前記駆動装置は前記噛合溝と連通する動力チャンバを含み、前記動力チャンバの中にはスライドブロックがスライドできるように設けられ、前記スライドブロックの中には旋転溝が設けられ、前記旋転溝と前記動力チャンバとの間には左右対称の抜き穴が連通し設けられ、前記動力チャンバの左端壁にはモーターが固定的に設けられ、前記モーターの右端には動力軸が動力が伝達できるように連結され、前記動力軸の右端が前記抜き穴を貫通して前記動力チャンバの右端壁と回転できるように連結され、前記旋転溝の中の前記動力軸には前記噛合歯車と噛み合うことができる回転歯車が固定的に設けられ、前記動力チャンバの前側には操作装置が設けられ、前記操作装置と前記スライドブロックとが固定的に連結され、
モーターが作動されて噛合歯車を回転連動させる。
【０００７】
更の技術プラン、前記操作装置は前記動力チャンバと連通する押し出し溝を含み、前記押し出し溝の中には右端が前記スライドブロックと固定的に連結された押し出しロッドがスライドできるように設けられ、前記押し出しロッドの左端には回転ロッドが回転できるように設けられ、前記押し出し溝と外部空間との間には押圧溝が連通し連結設置され、前記押圧溝と前記押し出し溝との間には連通チャンバが連通し設けられ、前記押圧溝の中には押圧ロッドがスライドできるように設けられ、前記回転ロッドの前端が前記押圧ロッドとが回転できるように連結され、前記押圧ロッドの左端面には復帰部品が固定的に設けられ、前記押圧ロッドの右端にはロック溝が設けられ、前記押圧ロッドの前端が外部空間まで伸びており、かつ前記押圧ロッドの前端には押しブロックが固定的に設けられ、前記押圧溝の右側には押し溝がスライドロッド溝によって連通し設けられ、前記スライドロッド溝の中には左端が前記押圧ロッドと当接するスライドロッドがスライドできるように設けられ、前記スライドロッドの右端が前記押し溝の中まで伸びており、かつ前記スライドロッドの右端には押しロッドが固定的に設けられ、前記押しロッドと前記押し溝との間には押圧バネが固定的に設けられ、
後ろに前記押圧ロッドを押し、前記モーターが前記噛合歯車を回転連動させることができ、前記押しロッドを右に移動して前記押圧ロッド復帰させる。  
【発明の効果】
【０００８】
本発明は構造が簡単で、操作が便利であり、下に押圧ブロックを押すことによってモーターが作動され、移動ブロックを移動駆動し、これにより便座クッションが上げられ、その後に押しロッドによって装置を復帰させ、便座クッションが自動的に平にし、操作の過程に、足で装置を操縦して作動させ、手動で引き起こした不衛生問題を避け、操作も便利である。
【図面の簡単な説明】
【０００９】
【図１】図１は本発明のボタン式便ふた上げ機の内部全体構成略図
【図２】図２は図１のＡ−Ａの拡大構成略図
【図３】図３は図１のＢ−Ｂの拡大構成略図
【図４】図４は図２のＣ−Ｃの拡大構成略図
【発明を実施するための形態】
【００１０】
以下、図１−４合わせて本発明について詳しく説明し、また、説明の便利を図るため、下記に記載の上下左右前後方向が図１自身の投影関係の上下左右前後方向と一致することにする。
【００１１】
図１−４を参照し、本発明のボタン式便ふた上げ機は、底板１０を含み、前記底板１０の下端面には便座の縁に貼り付けることができる貼り板１７が固定的に設けられ、前記底板１０の中には移動溝１１が設けられ、前記移動溝１１の中には移動ブロック１２がスライドできるように設けられ、前記移動ブロック１２の中には開け溝１３が設けられ、前記開け溝１３の中には連結ロッド１６が回転できるように設けられ、前記移動溝１１の上側と外部空間との間にはガイドスライド溝１５が連通し設けられ、前記底板１０の上端には回転溝１８が設けられ、前記回転溝１８の前後端壁の間には固定軸１９が固定的に設けられ、前記固定軸１９には回転板２０が回転できるように設けられ、前記回転板２０と前記回転溝１８との間には連結バネ２１が固定的に連結され、前記回転板２０の上端面には便座クッションの下端面に貼り付けることができる貼りブロック２２が固定的に設けられ、前記回転板２０の中にはスライド溝２３が設けられ、前記スライド溝２３の中にはスライドブロック２５がスライドできるように設けられ、前記スライド溝２３と外部空間との間にはガイドレール２４が連通し設けられ、前記連結ロッド１６の上端が順番に前記ガイドスライド溝１５及び前記ガイドレール２４を貫通して前記スライドブロック２５と回転できるように連結され、前記移動溝１１の中には左端と前記移動溝１１の左端壁とが回転できるように連結されたネジ山軸１４が回転できるように設けられ、前記ネジ山軸１４と前記移動ブロック１２とがねじ山によって連結され、前記移動溝１１の右側には噛合溝２６が連通し設けられ、前記ネジ山軸１４の右端が前記噛合溝２６の中まで伸びており、かつ前記ネジ山軸１４の右端には  トーションバネ２８が固定的に連結設置され、前記噛合溝２６の中の前記ネジ山軸１４には噛合歯車２７が固定的に設けられ、前記底板１０の前端面には操作ブロック２９が固定的に設けられ、前記操作ブロック２９の中には駆動装置１００が設けられ、前記駆動装置１００と前記噛合歯車２７とが噛み合いことができるように連結され、
前記噛合歯車２７が回転し前記移動ブロック１２を移動させ、前記連結ロッド１６によって前記回転板２０が便座クッションを駆動して上昇させる。
【００１２】
有益的には、前記  駆動装置１００は前記噛合溝２６と連通する動力チャンバ３０を含み、前記動力チャンバ３０の中にはスライドブロック３３がスライドできるように設けられ、前記スライドブロック３３の中には  旋転溝３４が設けられ、前記旋転溝３４と前記動力チャンバ３０との間には左右対称の抜き穴５０が連通し設けられ、前記動力チャンバ３０の左端壁にはモーター３１が固定的に設けられ、前記モーター３１の右端には動力軸３２が動力が伝達できるように連結され、前記動力軸３２の右端が前記抜き穴５０を貫通して前記動力チャンバ３０の右端壁と回転できるように連結され、前記旋転溝３４の中の前記動力軸３２には前記噛合歯車２７と噛み合うことができる回転歯車３５が固定的に設けられ、前記動力チャンバ３０の前側には操作装置２００が設けられ、前記操作装置２００と前記スライドブロック３３とが固定的に連結され、
モーター３１が作動されて噛合歯車２７を回転連動させる。
【００１３】
有益的には、前記操作装置２００は前記動力チャンバ３０と連通する押し出し溝３６を含み、前記押し出し溝３６の中には右端が前記スライドブロック３３と固定的に連結された押し出しロッド３７がスライドできるように設けられ、前記押し出しロッド３７の左端には回転ロッド３８が回転できるように設けられ、前記押し出し溝３６と外部空間との間には押圧溝４０が連通し連結設置され、前記押圧溝４０と前記押し出し溝３６との間には連通チャンバ３９が連通し設けられ、前記押圧溝４０の中には押圧ロッド４１がスライドできるように設けられ、前記回転ロッド３８の前端が前記押圧ロッド４１とが回転できるように連結され、前記押圧ロッド４１の左端面には復帰部品４２が固定的に設けられ、前記押圧ロッド４１の右端にはロック溝４４が設けられ、前記押圧ロッド４１の前端が外部空間まで伸びており、かつ前記押圧ロッド４１の前端には  押しブロック４３が固定的に設けられ、前記押圧溝４０の右側には押し溝４５がスライドロッド溝４９によって連通し設けられ、前記スライドロッド溝４９の中には左端が前記押圧ロッド４１と当接するスライドロッド４６がスライドできるように設けられ、前記スライドロッド４６の右端が前記押し溝４５の中まで伸びており、かつ前記スライドロッド４６の右端には  押しロッド４７が固定的に設けられ、前記押しロッド４７と前記押し溝４５との間には押圧バネ４８が固定的に設けられ、
後ろに前記押圧ロッド４１を押し、前記モーター３１が前記噛合歯車２７を回転連動させることができ、前記押しロッド４７  を右に移動して前記押圧ロッド４１復帰させる。
【００１４】
初期状態では、回転板２０と底板１０とが当接されており、回転歯車３５と噛合歯車２７とが噛み合わない。
【００１５】
装置を作動させる時に、貼り板１７と便座のヘリとを貼って連結させ、貼りブロック２２と便座クッションの下端面とが貼られて連結され、便座クッションを上げる時、足で押圧ブロック４３を押し、スライドロッド４６とロック溝４４とがロックされ、押圧ロッド４１が後ろに移動し、回転ロッド３８によって押し出しロッド３７を右に移動させ、これによりスライドブロック３３が右に移動し、回転歯車３５と噛合歯車２７とを噛合し連結させ、  これによりモーター３１が作動され、  噛合歯車２７が駆動されねじ山軸１４を回転連動させ、これにより移動ブロック１２が右に移動し、連結ロッド１６によって回転板２０が固定軸１９を回って回転し開けられ、便座クッションが上げられ、便座クッションを平にする時は、足で押しロッド４７を後ろに押し、スライドロッド４６とロック溝４４とのロックが解除され、これにより押圧ロッド４１が復帰部品４２の作用により初期の位置に戻り、これにより回転歯車３５と噛合歯車２７とが噛み合わなくなり、ねじ山軸１４がトーションバネ２８の作用により反転し、移動ブロック１２が左に移動して回転板２０を回転させて平にする。
【００１６】
本発明の有益効果は：本発明は構造が簡単で、操作が便利であり、下に押圧ブロックを押すことによってモーターが作動され、移動ブロックを移動駆動し、これにより便座クッションが上げられ、その後に押しロッドによって装置を復帰させ、便座クッションが自動的に平にし、操作の過程に、足で装置を操縦して作動させ、手動で引き起こした不衛生問題を避け、操作も便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175096.tif 000003
【図２】
2020175096.tif 000004
【図３】
2020175096.tif 000005
【図４】
2020175096.tif 000006
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
底板を含み、前記底板の下端面には便座の縁に貼り付けることができる貼り板が固定的に設けられ、前記底板の中には移動溝が設けられ、前記移動溝の中には移動ブロックがスライドできるように設けられ、前記移動ブロックの中には開け溝が設けられ、前記開け溝の中には連結ロッドが回転できるように設けられ、前記移動溝の上側と外部空間との間にはガイドスライド溝が連通し設けられ、前記底板の上端には回転溝が設けられ、前記回転溝の前後端壁の間には固定軸が固定的に設けられ、前記固定軸には回転板が回転できるように設けられ、前記回転板と前記回転溝との間には連結バネが固定的に連結され、前記回転板の上端面には便座クッションの下端面に貼り付けることができる貼りブロックが固定的に設けられ、前記回転板の中にはスライド溝が設けられ、前記スライド溝の中には第一スライドブロックがスライドできるように設けられ、前記スライド溝と外部空間との間にはガイドレールが連通し設けられ、前記連結ロッドの上端が順番に前記ガイドスライド溝及び前記ガイドレールを貫通して前記第一スライドブロックと回転できるように連結され、前記移動溝の中には左端と前記移動溝の左端壁とが回転できるように連結されたネジ山軸が回転できるように設けられ、前記ネジ山軸と前記移動ブロックとがねじ山によって連結され、前記移動溝の右側には噛合溝が連通し設けられ、前記ネジ山軸の右端が前記噛合溝の中まで伸びており、かつ前記ネジ山軸の右端にはトーションバネが固定的に連結設置され、前記噛合溝の中の前記ネジ山軸には噛合歯車が固定的に設けられ、前記底板の前端面には操作ブロックが固定的に設けられ、前記操作ブロックの中には駆動装置が設けられ、前記駆動装置と前記噛合歯車とが噛み合いことができるように連結され、
前記噛合歯車が回転し前記移動ブロックを移動させ、前記連結ロッドによって前記回転板が前記便座クッションを駆動して上昇させることを特徴とするボタン式便ふた上げ機。
【請求項２】
前記駆動装置は前記噛合溝と連通する動力チャンバを含み、前記動力チャンバの中には第二スライドブロックがスライドできるように設けられ、前記第二スライドブロックの中には旋転溝が設けられ、前記旋転溝と前記動力チャンバとの間には左右対称の抜き穴が連通し設けられ、前記動力チャンバの左端壁にはモーターが固定的に設けられ、前記モーターの右端には動力軸が動力が伝達できるように連結され、前記動力軸の右端が前記抜き穴を貫通して前記動力チャンバの右端壁と回転できるように連結され、前記旋転溝の中の前記動力軸には前記噛合歯車と噛み合うことができる回転歯車が固定的に設けられ、前記動力チャンバの前側には操作装置が設けられ、前記操作装置と前記第二スライドブロックとが固定的に連結され、
前記モーターが作動されて前記噛合歯車を回転連動させることを特徴とする請求項１に記載のボタン式便ふた上げ機。
【請求項３】
前記操作装置は前記動力チャンバと連通する押し出し溝を含み、前記押し出し溝の中には右端が前記第二スライドブロックと固定的に連結された押し出しロッドがスライドできるように設けられ、前記押し出しロッドの左端には回転ロッドが回転できるように設けられ、前記押し出し溝と外部空間との間には押圧溝が連通し連結設置され、前記押圧溝と前記押し出し溝との間には連通チャンバが連通し設けられ、前記押圧溝の中には押圧ロッドがスライドできるように設けられ、前記回転ロッドの前端が前記押圧ロッドとが回転できるように連結され、前記押圧ロッドの左端面には復帰部品が固定的に設けられ、前記押圧ロッドの右端にはロック溝が設けられ、前記押圧ロッドの前端が外部空間まで伸びており、かつ前記押圧ロッドの前端には押しブロックが固定的に設けられ、前記押圧溝の右側には押し溝がスライドロッド溝によって連通し設けられ、前記スライドロッド溝の中には左端が前記押圧ロッドと当接するスライドロッドがスライドできるように設けられ、前記スライドロッドの右端が前記押し溝の中まで伸びており、かつ前記スライドロッドの右端には押しロッドが固定的に設けられ、前記押しロッドと前記押し溝との間には押圧バネが固定的に設けられ、
後ろに前記押圧ロッドを押し、前記モーターが前記噛合歯車を回転連動させることができ、前記押しロッドを右に移動して前記押圧ロッドを復帰させることを特徴とする請求項２に記載のボタン式便ふた上げ機。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはボタン式便ふた上げ機である。
【背景技術】
【０００２】
現在の便ふたは一般的に手動で作動され、手動では腰を屈めなければいけなく、また便ふたの衛生問題も心配され、直接操作に不便であり、また、極少数の床置式便ふた上げ機は、大きな空間を占め、操作も不便である。
従って、現有技術の中の便ふた上げ機を更に一歩の改良を進み、便ふた上げ機を使用する利便性を向上する。
【先行技術文献】
【特許文献】
【０００３】
【特許文献１】中国特許出願公開第１０３３００７８４号明細書
【発明の概要】
【発明が解決しようとする課題】
【０００４】
本発明の目的はボタン式便ふた上げ機を提供し、それは上記の現在の技術中の問題を解決できる。
【課題を解決するための手段】
【０００５】
本発明のボタン式便ふた上げ機は、底板を含み、前記底板の下端面には便座の縁に貼り付けることができる貼り板が固定的に設けられ、前記底板の中には移動溝が設けられ、前記移動溝の中には移動ブロックがスライドできるように設けられ、前記移動ブロックの中には開け溝が設けられ、前記開け溝の中には連結ロッドが回転できるように設けられ、前記移動溝の上側と外部空間との間にはガイドスライド溝が連通し設けられ、前記底板の上端には回転溝が設けられ、前記回転溝の前後端壁の間には固定軸が固定的に設けられ、前記固定軸には回転板が回転できるように設けられ、前記回転板と前記回転溝との間には連結バネが固定的に連結され、前記回転板の上端面には便座クッションの下端面に貼り付けることができる貼りブロックが固定的に設けられ、前記回転板の中にはスライド溝が設けられ、前記スライド溝の中には第一スライドブロックがスライドできるように設けられ、前記スライド溝と外部空間との間にはガイドレールが連通し設けられ、前記連結ロッドの上端が順番に前記ガイドスライド溝及び前記ガイドレールを貫通して前記第一スライドブロックと回転できるように連結され、前記移動溝の中には左端と前記移動溝の左端壁とが回転できるように連結されたネジ山軸が回転できるように設けられ、前記ネジ山軸と前記移動ブロックとがねじ山によって連結され、前記移動溝の右側には噛合溝が連通し設けられ、前記ネジ山軸の右端が前記噛合溝の中まで伸びており、かつ前記ネジ山軸の右端にはトーションバネが固定的に連結設置され、前記噛合溝の中の前記ネジ山軸には噛合歯車が固定的に設けられ、前記底板の前端面には操作ブロックが固定的に設けられ、前記操作ブロックの中には駆動装置が設けられ、前記駆動装置と前記噛合歯車とが噛み合いことができるように連結され、
前記噛合歯車が回転し前記移動ブロックを移動させ、前記連結ロッドによって前記回転板が前記便座クッションを駆動して上昇させる。
【０００６】
更の技術プラン、前記駆動装置は前記噛合溝と連通する動力チャンバを含み、前記動力チャンバの中には第二スライドブロックがスライドできるように設けられ、前記第二スライドブロックの中には旋転溝が設けられ、前記旋転溝と前記動力チャンバとの間には左右対称の抜き穴が連通し設けられ、前記動力チャンバの左端壁にはモーターが固定的に設けられ、前記モーターの右端には動力軸が動力が伝達できるように連結され、前記動力軸の右端が前記抜き穴を貫通して前記動力チャンバの右端壁と回転できるように連結され、前記旋転溝の中の前記動力軸には前記噛合歯車と噛み合うことができる回転歯車が固定的に設けられ、前記動力チャンバの前側には操作装置が設けられ、前記操作装置と前記第二スライドブロックとが固定的に連結され、
前記モーターが作動されて前記噛合歯車を回転連動させる。
【０００７】
更の技術プラン、前記操作装置は前記動力チャンバと連通する押し出し溝を含み、前記押し出し溝の中には右端が前記第二スライドブロックと固定的に連結された押し出しロッドがスライドできるように設けられ、前記押し出しロッドの左端には回転ロッドが回転できるように設けられ、前記押し出し溝と外部空間との間には押圧溝が連通し連結設置され、前記押圧溝と前記押し出し溝との間には連通チャンバが連通し設けられ、前記押圧溝の中には押圧ロッドがスライドできるように設けられ、前記回転ロッドの前端が前記押圧ロッドとが回転できるように連結され、前記押圧ロッドの左端面には復帰部品が固定的に設けられ、前記押圧ロッドの右端にはロック溝が設けられ、前記押圧ロッドの前端が外部空間まで伸びており、かつ前記押圧ロッドの前端には押しブロックが固定的に設けられ、前記押圧溝の右側には押し溝がスライドロッド溝によって連通し設けられ、前記スライドロッド溝の中には左端が前記押圧ロッドと当接するスライドロッドがスライドできるように設けられ、前記スライドロッドの右端が前記押し溝の中まで伸びており、かつ前記スライドロッドの右端には押しロッドが固定的に設けられ、前記押しロッドと前記押し溝との間には押圧バネが固定的に設けられ、
後ろに前記押圧ロッドを押し、前記モーターが前記噛合歯車を回転連動させることができ、前記押しロッドを右に移動して前記押圧ロッドを復帰させる。  
【発明の効果】
【０００８】
本発明は構造が簡単で、操作が便利であり、下に押圧ブロックを押すことによってモーターが作動され、移動ブロックを移動駆動し、これにより便座クッションが上げられ、その後に押しロッドによって装置を復帰させ、便座クッションが自動的に平にし、操作の過程に、足で装置を操縦して作動させ、手動で引き起こした不衛生問題を避け、操作も便利である。
【図面の簡単な説明】
【０００９】
【図１】図１は本発明のボタン式便ふた上げ機の内部全体構成略図
【図２】図２は図１のＡ−Ａの拡大構成略図
【図３】図３は図１のＢ−Ｂの拡大構成略図
【図４】図４は図２のＣ−Ｃの拡大構成略図
【発明を実施するための形態】
【００１０】
以下、図１−４合わせて本発明について詳しく説明し、また、説明の便利を図るため、下記に記載の上下左右前後方向が図１自身の投影関係の上下左右前後方向と一致することにする。
【００１１】
図１−４を参照し、本発明のボタン式便ふた上げ機は、底板１０を含み、前記底板１０の下端面には便座の縁に貼り付けることができる貼り板１７が固定的に設けられ、前記底板１０の中には移動溝１１が設けられ、前記移動溝１１の中には移動ブロック１２がスライドできるように設けられ、前記移動ブロック１２の中には開け溝１３が設けられ、前記開け溝１３の中には連結ロッド１６が回転できるように設けられ、前記移動溝１１の上側と外部空間との間にはガイドスライド溝１５が連通し設けられ、前記底板１０の上端には回転溝１８が設けられ、前記回転溝１８の前後端壁の間には固定軸１９が固定的に設けられ、前記固定軸１９には回転板２０が回転できるように設けられ、前記回転板２０と前記回転溝１８との間には連結バネ２１が固定的に連結され、前記回転板２０の上端面には便座クッションの下端面に貼り付けることができる貼りブロック２２が固定的に設けられ、前記回転板２０の中にはスライド溝２３が設けられ、前記スライド溝２３の中には第一スライドブロック２５がスライドできるように設けられ、前記スライド溝２３と外部空間との間にはガイドレール２４が連通し設けられ、前記連結ロッド１６の上端が順番に前記ガイドスライド溝１５及び前記ガイドレール２４を貫通して前記第一スライドブロック２５と回転できるように連結され、前記移動溝１１の中には左端と前記移動溝１１の左端壁とが回転できるように連結されたネジ山軸１４が回転できるように設けられ、前記ネジ山軸１４と前記移動ブロック１２とがねじ山によって連結され、前記移動溝１１の右側には噛合溝２６が連通し設けられ、前記ネジ山軸１４の右端が前記噛合溝２６の中まで伸びており、かつ前記ネジ山軸１４の右端には  トーションバネ２８が固定的に連結設置され、前記噛合溝２６の中の前記ネジ山軸１４には噛合歯車２７が固定的に設けられ、前記底板１０の前端面には操作ブロック２９が固定的に設けられ、前記操作ブロック２９の中には駆動装置１００が設けられ、前記駆動装置１００と前記噛合歯車２７とが噛み合いことができるように連結され、
前記噛合歯車２７が回転し前記移動ブロック１２を移動させ、前記連結ロッド１６によって前記回転板２０が前記便座クッションを駆動して上昇させる。
【００１２】
有益的には、前記  駆動装置１００は前記噛合溝２６と連通する動力チャンバ３０を含み、前記動力チャンバ３０の中には第二スライドブロック３３がスライドできるように設けられ、前記第二スライドブロック３３の中には  旋転溝３４が設けられ、前記旋転溝３４と前記動力チャンバ３０との間には左右対称の抜き穴５０が連通し設けられ、前記動力チャンバ３０の左端壁にはモーター３１が固定的に設けられ、前記モーター３１の右端には動力軸３２が動力が伝達できるように連結され、前記動力軸３２の右端が前記抜き穴５０を貫通して前記動力チャンバ３０の右端壁と回転できるように連結され、前記旋転溝３４の中の前記動力軸３２には前記噛合歯車２７と噛み合うことができる回転歯車３５が固定的に設けられ、前記動力チャンバ３０の前側には操作装置２００が設けられ、前記操作装置２００と前記第二スライドブロック３３とが固定的に連結され、
モーター３１が作動されて噛合歯車２７を回転連動させる。
【００１３】
有益的には、前記操作装置２００は前記動力チャンバ３０と連通する押し出し溝３６を含み、前記押し出し溝３６の中には右端が前記第二スライドブロック３３と固定的に連結された押し出しロッド３７がスライドできるように設けられ、前記押し出しロッド３７の左端には回転ロッド３８が回転できるように設けられ、前記押し出し溝３６と外部空間との間には押圧溝４０が連通し連結設置され、前記押圧溝４０と前記押し出し溝３６との間には連通チャンバ３９が連通し設けられ、前記押圧溝４０の中には押圧ロッド４１がスライドできるように設けられ、前記回転ロッド３８の前端が前記押圧ロッド４１とが回転できるように連結され、前記押圧ロッド４１の左端面には復帰部品４２が固定的に設けられ、前記押圧ロッド４１の右端にはロック溝４４が設けられ、前記押圧ロッド４１の前端が外部空間まで伸びており、かつ前記押圧ロッド４１の前端には  押しブロック４３が固定的に設けられ、前記押圧溝４０の右側には押し溝４５がスライドロッド溝４９によって連通し設けられ、前記スライドロッド溝４９の中には左端が前記押圧ロッド４１と当接するスライドロッド４６がスライドできるように設けられ、前記スライドロッド４６の右端が前記押し溝４５の中まで伸びており、かつ前記スライドロッド４６の右端には  押しロッド４７が固定的に設けられ、前記押しロッド４７と前記押し溝４５との間には押圧バネ４８が固定的に設けられ、
後ろに前記押圧ロッド４１を押し、前記モーター３１が前記噛合歯車２７を回転連動させることができ、前記押しロッド４７  を右に移動して前記押圧ロッド４１を復帰させる。
【００１４】
初期状態では、回転板２０と底板１０とが当接されており、回転歯車３５と噛合歯車２７とが噛み合わない。
【００１５】
装置を作動させる時に、貼り板１７と便座のヘリとを貼って連結させ、貼りブロック２２と便座クッションの下端面とが貼られて連結され、便座クッションを上げる時、足で押圧ブロック４３を押し、スライドロッド４６とロック溝４４とがロックされ、押圧ロッド４１が後ろに移動し、回転ロッド３８によって押し出しロッド３７を右に移動させ、これにより第二スライドブロック３３が右に移動し、回転歯車３５と噛合歯車２７とを噛合し連結させ、  これによりモーター３１が作動され、  噛合歯車２７が駆動されねじ山軸１４を回転連動させ、これにより移動ブロック１２が右に移動し、連結ロッド１６によって回転板２０が固定軸１９を回って回転し開けられ、便座クッションが上げられ、便座クッションを平にする時は、足で押しロッド４７を後ろに押し、スライドロッド４６とロック溝４４とのロックが解除され、これにより押圧ロッド４１が復帰部品４２の作用により初期の位置に戻り、これにより回転歯車３５と噛合歯車２７とが噛み合わなくなり、ねじ山軸１４がトーションバネ２８の作用により反転し、移動ブロック１２が左に移動して回転板２０を回転させて平にする。
【００１６】
本発明の有益効果は：本発明は構造が簡単で、操作が便利であり、下に押圧ブロックを押すことによってモーターが作動され、移動ブロックを移動駆動し、これにより便座クッションが上げられ、その後に押しロッドによって装置を復帰させ、便座クッションが自動的に平にし、操作の過程に、足で装置を操縦して作動させ、手動で引き起こした不衛生問題を避け、操作も便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。